(57)【要約】【課題】  プラテンを兼ねるベース部とプリンター移動用ガイド軸を架設するフレーム体との組立て精度を高めることができると共に、その精度の維持を図ることができ、且つ、組立て易さを可能にしたプリンターのフレーム取付け構造を提供する。【解決手段】  プラテンを兼ねるベース部３に対して、左右のフレーム体７，７を用いてプリンター４の移動をガイドするガイド軸５を取付ける。左右のフレーム体７，７に設けた脚部７Ｂをベース部３に設けた角穴３Ｂに差し込み、ベース部３に対して取付け自在に構成したフレーム取付部材２のフレーム取付部１０，１０を用いて、フレーム体７，７を上から覆うように押圧してベース部３に固定化する。【選択図】    図１
2006341396.tif 000002
【特許請求の範囲】
【請求項１】
用紙に文字や記号等を印字するためのプリンターであって、
印字用のプラテンを兼用するベース部と、
プリンター移動用ガイド軸の両端部を挿通する孔部を設けた一対のフレーム体と、
各フレーム体に設けた脚部を挿入するために上記ベース部に設けた位置決め用の角穴と、
上記ベース部に取付け自在で、且つ、上記各フレーム体の一部を外部から覆うように押圧した状態で取付けることができるフレーム取付部を設けたフレーム取付部材とから成り、
上記プリンター移動用ガイド軸の両端部に装着した一対のフレーム体の各脚部をベース部の角穴に挿入し、且つ、ベース部に取付けた上記フレーム取付部材のフレーム取付部が各フレーム体の一部を覆うように押圧することにより、ベース部に対する各フレーム体の取付状態を固定化すると共に、両フレーム体の間にプリンター移動用ガイド軸を架設可能に構成したことを特徴とするプリンターのフレーム取付け構造。
【請求項２】
前記フレーム体の一部を押圧するフレーム取付部材のフレーム取付部には、フレーム体の一部を嵌合する溝部と、この溝部の内側にフレーム板の板厚よりもやや狭めた間隔で形成した突起部とが設けられていて、フレーム体の取付け時に、フレーム体の一部を上記溝部に嵌め込み、且つ、突起部の変形もしくは削り込みによってフレーム体を嵌着固定するように構成したことを特徴とする請求項１に記載のプリンターのフレーム取付け構造。
【請求項３】
前記フレーム取付部材のフレーム取付部に設けられている溝部の内側に、フレーム体を両側から挟んで、フレーム体の左右方向又は前後方向の少なくとも一方への揺れを抑止する押圧ガイド部が設けられていることを特徴とする請求項１又は２に記載のプリンターのフレーム取付け構造。
【請求項４】
前記フレーム取付部材の左右両側にフレーム取付部が設けられ、且つ、これ等左右のフレーム取付部の間には、前記プリンターに係合してその移動をガイドするプリンターガイド部が設けられていることを特徴とする請求項１、２又は３に記載のプリンターのフレーム取付け構造。
【請求項５】
前記フレーム取付部材に設けたフレーム取付部の天井部分に、前記フレーム板の上端部を嵌め込むための溝部を設け、この溝部の内側中央部分には、上記フレーム板に設けられているガイド軸用の孔部に位置を合わせて締付ネジ用のネジ穴筒体を下向きに突設する一方、上記フレーム板の下端部に前記の脚部を突設し、ネジ穴筒体を中央にしてその両側の溝部内に、前記突起部と押圧ガイド部を夫々一対ずつ設けると共に、上記フレーム板の上端部に、上記ネジ穴筒体が嵌め込まれる凹部と、この凹部を挟んでその両側に上記両側の突起部と押圧ガイド部に夫々挟持される左右のガイド突片を設けて、上記ネジ穴筒体にネジ込んだ締付ネジの締め付けによって、ネジ先端が上記フレーム板の凹部を押圧して、フレーム板の全体を下端部に突設した上記脚部をベース部の角穴に挿入した状態で、上記フレーム取付部とベース部との間で上下から挟持固定するように構成したことを特徴とする請求項１、２、３又は４に記載のプリンターのフレーム取付け構造。
【請求項６】
前記フレーム体を金属で造り、前部フレーム取付部を含むフレーム取付部材の全体をプラスチックで造るようにしたことを特徴とする請求項１、２、３，４又は５に記載のプリンターのフレーム取付け構造。
【発明の詳細な説明】
【技術分野】
【０００１】
本発明は、用紙に文字や記号等を記録する各種の機器に使用して好適なプリンターに関し、具体的には、プラテンを構成するベース部と、プリンターのガイド軸を挿通するフレーム板との組立てを簡単に、且つ、正確に行えるように工夫したプリンターのフレーム取付け構造に関するものである。
【背景技術】
【０００２】
プリンターのフレーム取付け構造に関しては、従来より、例えば特許文献１に記載の「小型プリンタ用フレーム」と、特許文献２に記載の「プリンタのシャーシ」と、図９及び図１０の従来例に示した如き構造のものが存在する。  
【０００３】
上記特許文献１に記載の「小型プリンタ用フレーム」は、基礎プラスチックフレームに箱型の受け部を設け、この受け部に各種のシャフト孔を設けた金属フレームを差し込み固定することにより、これ等のシャフト孔を用いてドラムシャフトやハンマーシャフトといった各種のシャフトを取付けることができるように構成されており、また、上記特許文献２に記載の「プリンタのシャーシ」は、底部フレームに角穴を設け、再度フレームの脚部をこの角穴に差し込み、且つ、スライドさせて取付けを固定するように構成されている。
【０００４】
更に図９と図１０に示した従来例において、１０１はプラテンを兼ねるベース板、１０６，１０６はこのベース板１０１の両側に取付けた左右のフレーム、１０２と１０５はこれ等両フレーム１０６，１０６の間に架設したプリンタガイド軸とカム軸、１００と１００Ａはプリンターとインクリボンケースであって、プリンター１００は駆動モータ１０７によって回転される上記カム軸１０５に設けた円筒カム１０４により、ガイド軸１０２に沿って印字移動するように構成され、また、左右のフレーム１０６は、図１０に示すようにベース板１０１に設けた角穴１０１Ａに脚部１０６Ｔを差し込んで、これをカシメることによって固定される仕組みに成っている。
【特許文献１】実願昭６３−２０１７５５号公報
【特許文献２】実開平４−１２８８５８号公報
【発明の開示】
【発明が解決しようとする課題】
【０００５】
ところが、上記特許文献１に記載の構成には、基礎プラスチックフレームの構造が複雑で、底部の平坦度が出難いため、左右のフレームに設けたシャフト孔に挿入して取付けた各種シャフト間の平行度を維持するのが難しい問題があり、また、上記特許文献２に記載の構成には、底部フレームに設けた角穴に脚部を差し込み、且つ、スライドさせて取付けるサイドフレームの左右の揺れを防止するためには、サイドフレームの厚みを厚く造る必要があって、サイドフレームを厚くした分、コスト高と装置の大型化を招いてしまう問題があった。
【０００６】
更に、上記図９、図１０に示した従来例では、カシメによってベース板１０１に左右のフレーム１０６を固定する構成であるため、カシメ時に歪みが発生して、ベース板１０１と左右のフレーム１０６，１０６の間に架設したプリンタガイド軸１０２及びカム軸１０５との平行度が出難くなるとか、カシメには大掛かりなカシメ装置が必要となるため、このカシメ装置を一度設置すると、プリンターの組立てラインの変更に簡単に対応できなくなるといった問題があった。
【０００７】
本発明は上述した従来技術の各問題点を解決するために開発されたものであって、その技術的課題は、プラテンを兼ねるベース部とプリンター移動用ガイド軸を架設するフレーム体との組立て精度を高めることができると共に、その精度の維持を図ることができ、且つ、組立て易さを可能にしたプリンターのフレーム取付け構造を提供することである。
【課題を解決するための手段】
【０００８】
（１）  上記の技術的課題を解決するために、本発明の請求項に係るプリンターのフレーム取付け構造は、用紙に文字や記号等を印字するためのプリンターであって、印字用のプラテンを兼用するベース部と、プリンター移動用ガイド軸の両端部を挿通する孔部を設けた一対のフレーム体と、各フレーム体に設けた脚部を挿入するために上記ベース部に設けた位置決め用の角穴と、上記ベース部に取付け自在で、且つ、上記各フレーム体の一部を外部から覆うように押圧した状態で取付けることができるフレーム取付部を設けたフレーム取付部材とから成り、上記プリンター移動用ガイド軸の両端部に装着した一対のフレーム体の各脚部をベース部の角穴に挿入し、且つ、ベース部に取付けた上記フレーム取付部材のフレーム取付部が各フレーム体の一部を覆うように押圧することにより、ベース部に対する各フレーム体の取付状態を固定化すると共に、両フレーム体の間にプリンター移動用ガイド軸を架設可能に構成したことを特徴としている。
【０００９】
（２）  本発明の請求項２に係るプリンターのフレーム取付け構造は、前記フレーム体の一部を押圧するフレーム取付部材のフレーム取付部には、フレーム体の一部を嵌合する溝部と、この溝部の内側にフレーム板の板厚よりもやや狭めた間隔で形成した突起部とが設けられていて、フレーム体の取付け時に、フレーム体の一部を上記溝部に嵌め込み、且つ、突起部の変形もしくは削り込みによってフレーム体を嵌着固定するように構成したことを特徴としている。
【００１０】
（３）  本発明の請求項３に係るプリンターのフレーム取付け構造は、前記フレーム取付部材のフレーム取付部に設けられている溝部の内側に、フレーム体を両側から挟んで、フレーム体の左右方向又は前後方向の少なくとも一方への揺れを抑止する押圧ガイド部が設けられていることを特徴としている。
【００１１】
（４）  本発明の請求項４に係るプリンターのフレーム取付け構造は、前記フレーム取付部材の左右両側にフレーム取付部が設けら、且つ、これ等左右のフレーム取付部の間には、前記プリンターに係合してその移動をガイドするプリンターガイド部が設けられていることを特徴としている。
【００１２】
（５）  本発明の請求項５に係るプリンターのフレーム取付け構造は、前記フレーム取付部材に設けたフレーム取付部の天井部分に、前記フレーム板の上端部を嵌め込むための溝部を設け、この溝部の内側中央部分には、上記フレーム板に設けられているガイド軸用の孔部に位置を合わせて締付ネジ用のネジ穴筒体を下向きに突設する一方、上記フレーム板の下端部に前記の脚部を突設し、当該ネジ穴筒体を中央にしてその両側の溝部内に、前記突起部と押圧ガイド部を夫々一対ずつ設けると共に、上記フレーム板の上端部に、上記ネジ穴筒体が嵌め込まれる凹部と、この凹部を挟んでその両側に上記両側の突起部と押圧ガイド部に夫々挟持される左右のガイド突片を設けて、上記ネジ穴筒体にネジ込んだ締付ネジの締め付けによって、ネジ先端が上記フレーム板の凹部を押圧して、フレーム板の全体を下端部に突設した上記脚部をベース部の角穴に挿入した状態で、上記フレーム取付部とベース部との間で上下から挟持固定するように構成したことを特徴としている。
【００１３】
（６）  更に本発明の請求項６に係るプリンターのフレーム取付け構造は、前記フレーム体を金属で造り、前部フレーム取付部を含むフレーム取付部材の全体をプラスチックで造るようにしたことを特徴としている。
【００１４】
上記（１）で述べた請求項１に係る手段によれば、プリンターの移動をガイドするガイド軸の両端部をプラテンを兼ねるベース部に取付けるためのフレーム体を、その脚部をベース部に設けた位置決め用の角穴に挿入し、且つ、当該フレーム体の一部を外部から覆うように押圧した状態でフレーム取付部をベース部側に固定することができる。その結果、プラテン（ベース部）とプリンター移動用ガイド軸との間の組立て精度と寸法精度を高くすると共に、フレーム体の倒れがなく強固に固定できる。また、組立てラインでドライバー作業のみにてプリンターの取付けと取り外しを容易に行うことができるため、大掛かりなカシメ装置を使用せずにプリンターの取付作業を行うことを可能にする。
【００１５】
上記（２）、（３）で述べた請求項２及び３に係る手段によれば、フレーム取付部によってフレーム体をベース部に取付ける場合に、フレーム取付部の溝部に設けられている突起部が、差し込まれたフレーム体の一部によって変形又は薄く削り取られた状態でフレーム体を挟持すると共に、溝部に設けた押圧ガイド部が揺れを抑止した状態でフレーム体を挟持するため、フレーム体をベース部に対して強固に取付けて、フレーム体によって取付けられたプリンター移動用ガイド軸とベース部との平行度を確実に維持することを可能にする。
【００１６】
上記（４）で述べた請求項４に係る手段によれば、フレーム取付部材の左右両側に設けたフレーム取付部によって、左右のフレーム体を同時に取付けることができるため、プリンター移動用ガイド軸を簡単に、且つ、安定した状態でベース部に取付けることができると共に、両フレーム取付部の間に設けたプリンターガイド部が上記ガイド軸に沿って移動するプリンターをガイドするため、プリンターの移動を安定させて品質の高い印字を提供できるものであって、少ない部品点数で構造的な強度性と、印字の安定性を保つことを可能にする。
【００１７】
上記（５）で述べた請求項５に係る手段によれば、締付ネジの締付け操作のみで、ベース部に対する左右のフレーム体の取付けを正確に、且つ、強固に行うことができ、また、ベース部に対する上記ガイド軸の平行度もこの締付ネジの締付け作業で調整できるため、例えば、プリンターの修理等でフレーム体を取り外す作業と、取り外した後の再組立ての各作業や、平行度の調整作業を、極めて簡単に行うことができると共に、フレーム取付部に対するフレーム体の嵌着状態に緩みが生じた場合でも、締付ネジの締付けを強くすることによって充分に固定状態を維持することを可能にする。
【００１８】
上記（６）で述べた請求項６に係る手段によれば、フレーム体が金属で造られ、これを取付けるフレーム取付部材側をプラスチックで造っているため、プリンター移動用ガイド軸を挿入する孔部の寸法精度を長く維持できると共に、プラスチックで造ったフレーム取付部の弾性によって、金属製フレーム体を容易に固定することができ、また、複雑な形状のフレーム取付部材（フレーム取付部）を、プラスチック成形によって容易に成形することを可能にする。
【発明の効果】
【００１９】
以上述べた次第で、本発明に係るプリンターのフレーム取付け構造によれば、プリンター移動用ガイド軸を取付けるためのフレーム体を、プラテンを兼ねるベース部に対して極めて簡単に、且つ、正確に取付けて、上記ガイド軸とベース部との間の平行度を維持できるものであって、上記ベース部とガイド軸との間の寸法精度を高くでき、また、フレーム体を強固に固定できるため、プリンターの作動を支障無く、円滑に行って、品質の高い印字を提供することができる。更に本発明によれば、大掛かりなカシメ装置等の設備が一切不要になるため、プリンター用の組立てラインの構築と変更の各作業が容易に行える利点も発揮できるものであって、例えばタイムレコーダーやその他各種印字機のプリンターに実施して、頗る有益なものである。
【発明を実施するための最良の形態】
【００２０】
以下に、上述した本発明に係るプリンターのフレーム取付け構造の実施の形態を図面と共に説明すると、図１は本発明が実施されたプリンター装置の全体を示した斜視図、図２はプリンター装置を構成するフレーム取付部材の全体を分解して示した斜視図、図３は当該フレーム部の底面図を示したものであって、これ等図１と図２において夫々符号１で総括的に示したプリンター装置の全体は、符号２で示したフレーム取付部材と、符号３で示したプラテンを兼ねるベース部とによって構成されている。
【００２１】
金属板をプレスすることによって成形されるベース部３は、その左右両サイド３Ｚ，３Ｚに、後述するフレーム体を位置決めした状態で取付けるための角穴３Ｂ，３Ｂと、上記のフレーム取付部材２をベース部３の上面に固定するための取付けネジ５Ｋ…用の孔３Ａ…が複数設けられていて、図面上手前側に形成されている平坦な面が後述するプリンターの印字用プラテンとなるように構成されている。
【００２２】
上記のフレーム取付部材２は、図示したように全体がプラスチックを用いて基部２Ｘの両側に側部材２’，２’を設けた略門型形状に形成されている。これ等両側部材２’，２’の前面部側（正面側）にはフレーム取付部１０，１０が左右相対向した状態で一体に連設されており、且つ、両フレーム取付部１０，１０の前端部の間には補強用リブ１１が架設されている。また、各側部材２’の前端部と中間部には、前記取付けネジ５Ｋ…をネジ込むナット部２Ａ…が複数設けられていて、これ等各取付けネジ５Ｋ…の締付けによって、図１に示すようにベース部３の上面にフレーム取付部材２が固定される仕組みに成っている。
【００２３】
図１において、４はプリンター、４Ｒはプリンター４に搭載した印字リボンカセット、５はプリンター４を移動自在に装着したプリンター移動用ガイド軸、６はモータ（図９参照）によって回転してプリンター４を横方向に印字移動させる円筒カム軸で、これ等ガイド軸５と円筒カム軸６は、その両端部５Ｔ及び６Ｚを前記ベース部３の両サイド３Ｚ，３Ｚに取付けられる左右のフレーム体７，７に回転自在に支持させることにより、両軸５，６とベース部３との平行度が夫々維持された状態で装着される仕組みに成っている。
【００２４】
図４は、図３において符号Ｗで指示したフレーム取付部１０の構成を拡大して示した底面図を示し、また、図５、図６、図７は図４のＡ−Ａ線とＢ−Ｂ線及びＣ−Ｃ線に沿った各々の拡大断面図、図８は上記フレーム取付部１０によるフレーム体７の取付状態を示した側断面図であって、全体が金属板をプレスすることによって成形されるフレーム体７には、上述したプリンター移動用ガイド軸５と円筒カム軸６の各先端部５Ｔ，６Ｚを回転自在に取付けるための孔部７Ａ，７Ｈが形成され、また、その下端部には、図８に見られるように前述したベース部３の角穴３Ｂ，３Ｂに挿入される脚部７Ｂ，７Ｂと、角穴３Ｂ，３Ｂに対する脚部７Ｂ，７Ｂの挿入を決められた位置で制止するストッパー７Ｘ，７Ｘが設けられている。
【００２５】
更に上記フレーム体７の上端部の一側（前部側半分）は、図２と図８に見られるように中央部に上記ガイド軸用の孔部７Ａに位置を合わせて凹部７Ｃが凹設され、その左右両側にガイド突片７Ｄ，７Ｄが上向きに突設された構成に成っていて、これ等凹部７Ｃとガイド突片７Ｄ，７Ｄを用いて上記フレーム取付部１０がフレーム体７をベース部３の両サイド３Ｚに装着固定する仕組みに成っているが、次に、当該フレーム取付部１０の構成を図面（特に図４〜図８）の記載に基づいて詳細に説明することにする。
【００２６】
上記フレーム取付部材２の側部材２’の部分に一体成形されたフレーム取付部１０の全体は、フレーム体７を上から覆ってベース部３に押し付けて固定できるように、押圧面の前部側半分に凹溝１０Ｈを下向きに凹設した形状に造られている。１０Ｋは内側に凹溝１０Ｈが凹設されるように表裏に間隔をあけて並設された押え板で、フレーム体７の上端がこの押え板１０Ｋ，１０Ｋ間の凹溝１０Ｈ内に嵌め込まれて上から押え付けられる仕組みに成っている。
【００２７】
図中、１０Ｔは上記凹溝１０Ｈ内の中央部に下方に向けて突設したネジ穴角筒体、１０Ａはこのネジ穴角筒体１０Ｔの内部に設けた締付ネジ８用のネジ穴、２０は上記凹溝１０Ｈの内側面にガイド部２２，２２（図５参照）を相対向して突設した押圧ガイド部、３０は同じく凹溝１０Ｈの内側面に突起３２，３２（図６参照）を相対向して突設した突起部であって、これ等押圧ガイド部２０と突起部３０は、図７及び図８に見られるように、上記ネジ穴角筒体１０Ｔを中心にその左右両側に一対ずつ設けられている。
【００２８】
以上の如く構成したフレーム取付部材２のフレーム取付部１０と、フレーム体７を用いてプリンター移動用ガイド軸５と円筒カム軸６をベース部３に対して平行に取付けるには、先ず、両軸５，６の両端部５Ｔ，６Ｚの夫々にフレーム体７，７を取付けると共に、両フレーム体７，７の下端に設けた各脚部７Ｂをベース部３の角穴３Ｂに挿入する。
【００２９】
次いで、両フレーム体７，７の上端に突設したガイド突片７Ｄ，７Ｄをフレーム取付部１０の凹溝１０Ｈ内に嵌め込むと共に、両ガイド突片７Ｄ，７Ｄ間の凹部７Ｃ内にフレーム取付部１０側のネジ穴角筒体１０Ｔを嵌め込んだ状態で、各取付ネジ５Ｋ…をベース部３のネジ穴３Ａ…を通してフレーム取付部材２側のナット部２Ａ…にネジ込んで締め付ければ、フレーム取付部材２を左右のフレーム取付部１０，１０が左右のフレーム体７，７を上から覆って押し付けた状態で、ベース部３の上面に固定することができる。
【００３０】
上記取付ネジ５Ｋ…の締め付けによって、各フレーム体７のガイド突片７Ｄ，７Ｄがフレーム取付部１０の溝部１０Ｈ内に嵌め込まれると、両ガイド突片７Ｄ，７Ｄが夫々溝部１０Ｈ内に設けた押圧ガイド部２０を構成するガイド部２２，２２の間の嵌込溝２１（図５参照）内に圧入されて、フレーム体７の左右方向（プリンター４の移動方向）のガタが抑制される一方、更に、両ガイド突片７Ｄ，７Ｄが溝部１０Ｈ内に設けた突起部３０を構成する突起３２，３２の間の嵌込溝３１（図６参照）の内部に、突起３２，３２を変形もしくは削り込みながら圧入されて、フレーム体７を確実に嵌着固定することができる。
【００３１】
次いで、図８に示すように前記ネジ穴角筒体１０Ｔ内に締付ネジ８をネジ込んで締め付けると、ネジ先端８Ｋが凹部７Ｃの底面を押圧して、フレーム体７に対して孔部７Ａの方向、即ち、この孔部７Ａに挿入したプリンター移動用ガイド軸５の方向に押圧力が作用するため、フレーム体７のベース部３への取付けを更に強固なものにして、ベース部３（プラテン）と、上記ガイド軸５（プリンター４）との平行度を確実に維持することができると共に、この締付ネジ８の締付け操作によって、上記ガイド軸５とベース部３との平行度を調節することを可能にする。
【００３２】
上記の手順で左右のフレーム体７，７をベース部３の両サイド３Ｚ，３Ｚに固定したら、両フレーム体７，７の各孔部７Ａ，７Ｈに対してプリンター移動用ガイド軸５と円筒カム軸６を挿通及び嵌着すると共に、挿通するガイド軸５に対してプリンター４を装着すればプリンター装置１を組立てることができるが、ベース部３に対する両フレーム体７，７の取付けは、両フレーム体７，７に各軸５，６を挿通及び嵌着した状態で行ってもよく、その選択は任意とする。
【００３３】
以上の如く組立てたプリンター装置１を分解する場合は、取付ネジ５Ｋ…と締付ネジ８…の取外しだけで、全ての部材を図２に示した分解状態にすることができるため、組立てラインにおいてドライバー作業のみでプリンター装置１の組立てと分解を全て行うことを可能にしている。
【００３４】
尚、図１〜図３において、２Ｇはプリンター４の移動をガイドするために、フレーム取付部材２の前面部に設けたプリンターガイド部を示す。また、図５において符号Ｘで示した間隔はフレーム体７を挿入できる最小限の寸法を示し、図６において、間隔Ｙはフレーム体７の板厚よりも若干狭く造った両突起３２，３２の間の寸法を示す。更に図７において符号Ｚで示した間隔は、前記フレーム体７の凹部７Ｃに挿入可能なネジ穴角筒体１０Ｔの外形寸法を示す。
【図面の簡単な説明】
【００３５】
【図１】本発明に係るプリンターのフレーム取付け構造が実施されているプリンター装置の全体を示した斜視図。
【図２】図１に示したプリンター装置を構成するフレーム全体を分解して示した斜視図。
【図３】本発明の要部を示した底面図。
【図４】図３のＷ視部分を拡大した底面図。
【図５】図４のＡ−Ａ線に沿った拡大断面図。
【図６】図４のＢ−Ｂ線に沿った拡大断面図。
【図７】図４のＣ−Ｃ線に沿った拡大断面図。
【図８】本発明の要部を拡大して示した側断面図。
【図９】従来例の平面図。
【図１０】従来例の側断面図。
【符号の説明】
【００３６】
１            プリンター装置
２            フレーム取付部材
２Ｇ          プリンターガイド部
３            プラテンを兼ねるベース部
３Ｂ          角穴
４            プリンター
４Ｒ          印字リボンカセット
５            プリンター移動用ガイド軸
５Ｔ          ガイド軸の先端部
５Ｋ          取付けネジ
６            円筒カム軸
６Ｚ          カム軸の先端部
７            フレーム体
７Ａ          ガイド軸用の孔部
７Ｂ          脚部
７Ｃ          凹部
７Ｄ          ガイド突片
８            締付ネジ
８Ｋ          ネジ先端
１０          フレーム取付部
１０Ｈ        溝部
１０Ｔ        ネジ穴角筒体
２０          押圧ガイド部
３０          突起部
【図１】
2006341396.tif 000003
【図２】
2006341396.tif 000004
【図３】
2006341396.tif 000005
【図４】
2006341396.tif 000006
【図５】
2006341396.tif 000007
【図６】
2006341396.tif 000008
【図７】
2006341396.tif 000009
【図８】
2006341396.tif 000010
【図９】
2006341396.tif 000011
【図１０】
2006341396.tif 000012